(57)【要約】【課題】複数の屋根材の一部を葺き替えて屋根を改修する際に、屋根材の差し替えを簡単にする屋根材葺き替え治具及び屋根の改修方法を提供する。【解決手段】瓦桟２０に屋根材１１の瓦尻１２を係合するとともにこの屋根材１１の瓦頭１３を軒側に隣接する他の屋根材１１の瓦尻１２に重ねて屋根下地１４に葺設した複数の屋根材１１の一部を葺き替える際に用いる屋根材葺き替え治具１である。屋根材葺き替え治具１は、屋根材１１の瓦尻１２を当接し滑らせて瓦桟２０の上方に誘導する誘導部２を備え、誘導部２は、上端が瓦桟２０の上面と略同じ高さの位置で固定され、瓦桟２０の高さと略同じ高さで下方に傾斜する傾斜面２ａを有する。【選択図】図１
2014077316.tif 000002
【特許請求の範囲】
【請求項１】
瓦桟に屋根材の瓦尻を係合するとともにこの屋根材の瓦頭を軒側に隣接する他の屋根材の瓦尻に重ねて屋根下地に葺設した複数の屋根材の一部を葺き替える際に用いる屋根材葺き替え治具であって、前記屋根材の前記瓦尻を当接し滑らせて前記瓦桟の上方に誘導する誘導部を備え、前記誘導部は、上端が前記瓦桟の上面と略同じ高さの位置で固定され、前記瓦桟の高さと略同じ高さで下方に傾斜する傾斜面を有することを特徴とする屋根材葺き替え治具。
【請求項２】
前記誘導部を構成する誘導片と、前記誘導片の前記上端から前記瓦桟の前記上面と略平行に前記瓦桟に向かう方向に延設され前記瓦桟に重ねられる重ね片と、前記誘導片の下端から前記屋根下地に沿うよう延設され前記屋根下地に固定される固定片と、を備えることを特徴とする請求項１に記載の屋根材葺き替え治具。
【請求項３】
請求項１又は２に記載の屋根材葺き替え治具を用いた屋根の改修方法であって、既設の屋根材を除去した後、前記屋根材葺き替え治具を前記瓦桟に沿って固定し、前記屋根材葺き替え治具上を滑らせて新設の屋根材を棟側に隣接する既設の屋根材の瓦頭と前記瓦桟との間に挿入することを特徴とする屋根の改修方法。
【発明の詳細な説明】
【技術分野】
【０００１】
本発明は、複数の屋根材の一部を葺き替える際に用いる屋根材葺き替え治具及び屋根材葺き替え治具を用いた屋根の改修方法に関する。
【背景技術】
【０００２】
近年、高い耐風性や高い耐震性を備える屋根へのニーズが高まり、屋根材を屋根に強く固定するための様々な工夫がなされている。例えば、厚型屋根材の全数が釘やビスなどの固定具で野地や瓦桟に留めつけられたり、屋根材自体に屋根材同士が相互に係止するフック機構やロック機構が設けられたりしている。
【先行技術文献】
【特許文献】
【０００３】
【特許文献１】特開２００８−１３８４２８号公報
【発明の概要】
【発明が解決しようとする課題】
【０００４】
ところが、このように屋根に強く固定された屋根材を一部葺き替えて屋根を改修するには、屋根材が強く固定されていることで、改修に時間がかかったり、改修が施工者の熟練度に依存して不安定になったり不均一になったりすることがある。
【０００５】
図８は、既設の屋根材１１の葺設構造を示す断面図である。そして、図９及び図１０は、屋根材１１が葺設された屋根を改修する方法の一例を示していて、図９は斜視図であり、図１０は断面図である。図９（ａ）は、改修前の屋根を示しており、図９（ｂ）は、既設の屋根材１１ｂの一部を除去した後、新設の屋根材１１ａを挿入する工程を示している。図１０は、従来の方法の一例であって、既設の屋根材１１ｂを除去した後に、新設の屋根材１１ａを挿入して差し込む工程を示している。
【０００６】
図８に示すように、屋根には、複数の屋根材１１が、瓦尻１２を瓦桟２０に係止し、瓦頭１３を軒と平行な方向に隣接する他の屋根材１１の瓦尻１２に重ねる方法で屋根下地１４に葺設されている。このように葺設された複数の屋根材１１を一部葺き替えるには、まず、葺き替える場所の既設の屋根材１１ｂ、例えば、図８の白矢印及び図９（ａ）の矢印で指し示した場所の屋根材１１ｂを除去する。このとき、取り除かれる既設の屋根材１１ｂは破壊されてもよい。次に、図９（ｂ）に示すように、新設の屋根材１１ａを矢印に沿って既設の屋根材１１ｂを除去した場所に挿入する。新設の屋根材１１ａを挿入するにあたっては、図１０の白矢印で示すように、棟側に隣接する既設の屋根材１１ｂの瓦頭１３を持ち上げる。そして、瓦頭１３を持ち上げることによって瓦頭１３と瓦桟２０の上面との間にできた空間に、作業者２５が新設の屋根材１１ａの瓦尻１２を導いて屋根材１１ａを挿入し、この瓦尻１２を瓦桟２０に係止して新設の屋根材１１ａを差し込む。このようにして、屋根材１１を一部葺き替えて、屋根を改修することができる。
【０００７】
ところが、既設の屋根材１１ｂは、上記のように全数が固定具で留められていたり屋根材１１にフック機構やロック機構が設けられて固定されていたりして、瓦頭１３が持ち上がりにくくなっていることがある。また、固定具やフック機構による固定が一枚の屋根材１１の一箇所だけでなく複数箇所に施されている場合、例えば、屋根材１１の瓦尻１２と側面とに施されて屋根材１１ｂが固定されている場合には、瓦頭１３が殆ど持ち上がらなくなっていたりする。すると、瓦頭１３と瓦桟２０の上面との間に大きな空間を作りにくく、新設の屋根材１１ａの瓦尻１２を瓦桟２０の上面に導くことが難しくなり、屋根材１１ａを挿入しにくくなったり、瓦桟２０にぶつけやすくなったりする。このとき、無理に力を入れて屋根材１１ａを挿入しようとすると、新設の屋根材１１ａや周囲の既設の屋根材１１ｂに傷をつけてしまって、屋根材１１の美観を損ねてしまうことがある。また、補修の際に除去する既設の屋根材１１ｂ以外の屋根材１１を壊してしまって、施工時間を増やしてしまうことがある。また、周囲の既設の屋根材１１ｂや挿入する新設の屋根材１１ａを傷つけないように差し替える施工は、施工に十分な注意を要して施工時間が増えてしまったり、施工者の習熟度に大きく依存して施工が不安定になったり、均一に施工できなかったりする。また、新設の屋根材１１ａがうまく挿入できないときには、屋根材１１ａを挿入しやすくするように新設や既設の屋根材１１を削って加工する場合があり、さらに施工時間が増えたりする。このように、強く固定されている屋根材１１を一部葺き替えて屋根を改修するには、施工時間が増えたり、施工者に大きく依存して、施工が不安定になったり不均一になったりする。特許文献１には、屋根を効率よく改修するための屋根材の取り外し方法が記載されているが、このような方法は、屋根材を挿入して差し替える工程の効率化を図るものではない。
【０００８】
本発明は、上記の事情に鑑みてなされたものであり、屋根材を挿入して差し込む工程を簡単にして施工時間を短縮することができ、挿入する際に屋根材が傷ついて美観を損なうことを抑制して、屋根の改修の施工を均一化し安定化することができる屋根材葺き替え治具及び屋根の改修方法を提供することを目的とするものである。
【課題を解決するための手段】
【０００９】
本発明にかかる屋根材葺き替え治具は、瓦桟に屋根材の瓦尻を係合するとともにこの屋根材の瓦頭を軒側に隣接する他の屋根材の瓦尻に重ねて屋根下地に葺設した複数の屋根材の一部を葺き替える際に用いる屋根材葺き替え治具であって、前記屋根材の前記瓦尻を当接し滑らせて前記瓦桟の上方に誘導する誘導部を備え、前記誘導部は、上端が前記瓦桟の上面と略同じ高さの位置で固定され、前記瓦桟の高さと略同じ高さで下方に傾斜する傾斜面を有することを特徴とするものである。
【００１０】
上記の屋根材葺き替え治具にあっては、前記誘導部を構成する誘導片と、前記誘導片の前記上端から前記瓦桟の前記上面と略平行に前記瓦桟に向かう方向に延設され前記瓦桟に重ねられる重ね片と、前記誘導片の下端から前記屋根下地に沿うよう延設され前記屋根下地に固定される固定片と、を備えることが好ましい。
【００１１】
本発明にかかる屋根の改修方法は、前記屋根材葺き替え治具を用いた屋根の改修方法であって、既設の屋根材を除去した後、前記屋根材葺き替え治具を前記瓦桟に沿って固定し、前記屋根材葺き替え治具上を滑らせて新設の屋根材を棟側に隣接する既設の屋根材の瓦頭と前記瓦桟との間に挿入することを特徴とするものである。
【発明の効果】
【００１２】
本発明によれば、複数の屋根材の一部を葺き替える際に、新設の屋根材を屋根材葺き替え治具上を滑らせて瓦頭と瓦桟との間に挿入し簡単に差し替えることができる。そのため、差し替えの施工時間を短縮することができ、屋根材を破損させるおそれを大幅に減少させると共に、挿入する際に屋根材が傷ついて美観を損なうことを抑制することができ、屋根の改修の施工を均一化し安定化することができる。
【図面の簡単な説明】
【００１３】
【図１】屋根の改修方法の実施形態の一例を示す断面図であり、（ａ）は屋根材の挿入工程を示しており、（ｂ）は挿入後を示している。
【図２】屋根材葺き替え治具を瓦桟に設置した形態の一例を示し、（ａ）は斜視図であり、（ｂ）は断面図である。
【図３】屋根材葺き替え治具の実施形態の一例を示し、（ａ）は側面図であり、（ｂ）は平面図であり、（ｃ）は斜視図である。
【図４】屋根の改修方法の実施形態の一例を示す断面図であり、（ａ）は屋根材の挿入工程を示しており、（ｂ）は挿入後を示している。
【図５】屋根材葺き替え治具の実施形態の一例を示し、（ａ）は側面図であり、（ｂ）は平面図であり、（ｃ）は瓦桟に設置した際の断面図であり、（ｄ）は瓦桟に設置した際の斜視図である。
【図６】屋根材葺き替え治具の実施形態の一例を示し、（ａ）は側面図であり、（ｂ）は平面図であり、（ｃ）は瓦桟に設置した際の断面図であり、（ｄ）は瓦桟に設置した際の斜視図である。
【図７】（ａ）は屋根材の形態の一例を示す斜視図であり、（ｂ）は屋根材の葺設構造の形態の一例を示す斜視図である。
【図８】既設の屋根材の葺設構造の形態の一例を示す断面図である。
【図９】屋根の改修方法の一例を示す斜視図であり、（ａ）は改修前を示しており、（ｂ）は屋根材の挿入工程を示している。
【図１０】従来の屋根の改修方法の一例を示す断面図である。
【発明を実施するための形態】
【００１４】
図８は、既設の屋根材１１の葺設構造の一例を示す断面図である。この葺設構造では、複数の屋根材１１が軒棟方向で端部が重ねられて葺設されている。屋根材１１は、屋根下地１４の上に設置された瓦桟２０に瓦尻１２が係合されるとともに、瓦頭１３が軒側に隣接する他の屋根材１１の瓦尻１２に重ねられて屋根下地１４に葺設されている。
【００１５】
図７（ａ）は、図８の屋根に用いる屋根材１１の形態の一例を示す斜視図である。また、図７（ｂ）は、図７（ａ）で示した屋根材１１の葺設構造の形態の一例を説明する斜視図であり、図８の葺設構造の一部を分解して上方から見た様子を示している。屋根材１１は、棟側に配置される瓦尻１２と、軒側に配置される瓦頭１３とを備えている。本形態の屋根材１１は、さらに、瓦頭１３に係合上部２３が形成され、瓦尻１２に係合下部２４が形成されるとともに、側端部には、一方の側端部に重合上部２１が形成され、他方の側端部に重合下部２２が形成されている。屋根材１１は、適宜の窯業系基材であってよい。
【００１６】
図８に示すように、瓦尻１２は、先端部に瓦桟係止部１５を備えている。瓦桟係止部１５は、瓦桟２０にひっかけて瓦尻１２を係止するものである。瓦桟係止部１５は、屋根材１１の瓦尻１２の下面から屋根下地１４に向かう方向に突出して設けられている。瓦桟係止部１５は、本形態では、瓦尻１２の先端で突出する瓦桟係止脚１５ａと、この瓦桟係止脚１５ａよりも軒側で突出する瓦桟係合脚１５ｂと、によって構成されている。瓦桟係止脚１５ａと瓦桟係合脚１５ｂとは、瓦桟２０を跨ぐように設けられている。瓦桟係止脚１５ａは、屋根材１１を葺設する際に瓦桟２０の棟側側面に係合して、屋根材１１を瓦桟２０に係止することができる。瓦桟係合脚１５ｂは、風や地震などで屋根材１１が軒から棟に向かう方向に動いたときに瓦桟２０の軒側側面に係合して、屋根材１１が大きくずれることを抑制することができる。瓦桟係止脚１５ａと瓦桟係合脚１５ｂとは、一方が瓦桟２０に係止しているときに、他方は瓦桟２０に係止しなくてよい。
【００１７】
屋根材１１の瓦尻１２側の下面から瓦桟係止部１５（瓦桟係止脚１５ａ及び瓦桟係合脚１５ｂ）が突出した部分の突出長さは、瓦桟係止部１５を瓦桟２０に係止できる程度の長さで設けられていれば良く、瓦桟２０の高さ以下の長さで設けられていることが好ましい。これにより、屋根材１１を瓦桟２０に安定して係止させることができるとともに、瓦桟係止部１５で屋根下地１４を押圧することを抑制して、屋根材１１を軒棟方向にずれにくくし屋根の耐震性や耐風性を高めることができる。また、瓦桟係止脚１５ａと瓦桟係合脚１５ｂとは、略同じ突出長さで設けられていてもよく、違う突出長さで設けられていてもよい。瓦桟係止脚１５ａと瓦桟係合脚１５ｂとの間隔は、突出する瓦桟係止脚１５ａと瓦桟係合脚１５ｂとの間で形成された凹部に瓦桟２０を収納できるよう、瓦桟２０の軒棟方向の長さより少し長い間隔で設けられている。瓦桟係止脚１５ａと瓦桟係合脚１５ｂとは、軒と平行な方向（瓦桟２０の長手方向）に沿って瓦尻１２の全長に又は部分的に設けられていてよい。本形態では、図７（ｂ）に示すように、瓦桟係止部１５は、屋根材１１が下方に凹んだ部分に２つ設けられている。また、本形態では、瓦桟係止部１５が瓦桟係止脚１５ａと瓦桟係合脚１５ｂとで構成されているが、瓦桟係止脚１５ａのみで構成されて、瓦桟２０に係止してもよい。
【００１８】
瓦桟２０は、断面形状が矩形で長尺に形成されている部材である。瓦桟２０の高さは例えば、１０〜１００ｍｍ程度であってもよいが、これに限定されるものではない。また、瓦桟２０の幅は例えば、１０〜２００ｍｍ程度であってよいが、これに限定されるものではない。
【００１９】
屋根材１１は、本形態のように、瓦頭１３に係止上部２３が設けられると共に、瓦尻１２に係止下部２４が設けられていてもよい。係止上部２３と係止下部２４とは、軒棟方向に隣接する屋根材１１において互いの側面で相互に係止することができるものである。係止上部２３は、屋根材１１の軒側の端部において瓦桟係止部１５と同じ側（下方）に突出して設けることができる。係止下部２４は、屋根材１１の棟側の端部に係止上部２３とは反対側（上方）に突出して設けることができる。係止上部２３と係止下部２４とを屋根材１１に設けることにより、軒棟方向に隣接する屋根材１１同士が瓦尻１２と瓦頭１３とを重ね合わせた部分で係止して、屋根材１１が軒棟方向でずれることを抑制し、屋根の耐風性や耐震性を高めることができる。
【００２０】
図７（ａ）及び（ｂ）で示すように、屋根材１１には、さらに、一方の側端部に重合上部２１が設けられていると共に、他方の側端部に重合下部２２が設けられていてもよい。重合上部２１は重合下部２２に重ね合わせることができるものである。重合上部２１と重合下部２２とを屋根材１１に設けることにより、屋根材１１の側端部を軒棟方向と垂直な方向（軒と平行な方向）に隣接する屋根材１１の側端部に重ねて固定することができる。これにより、屋根材１１が風や地震でずれることを抑制して、屋根の耐風性や耐震性を高めることができる。
【００２１】
重合上部２１と重合下部２２とは、互いに係合する形状を有する適宜の形状で設けられることが好ましい。例えば、重合上部２１が突条を有する形状で設けられた場合には、重合下部２２は重合上部２１の突条と係合する溝を有する形状で設けられることが好ましい。また、例えば、重合上部２１が凹部を有する形状で設けられた場合には、重合下部２２は重合上部２１の凹部と係合する凸部を有する形状で設けられていることが好ましい。このように、互いに係合する形状を有する重合上部２１と重合下部２２とを屋根材１１の側端部に設けることで、屋根材１１の両側部を強く固定して、屋根材１１がずれることを抑制し、屋根の耐震性や耐風性を高めることができる。
【００２２】
屋根材１１は、側部において更に強固な固定構造を有して固定されてもよい。例えば、鉤状のフック機構を有してより強固に屋根材１１同士で固定されてもよいし、適宜のロック部材を用いたロック機構を有してより強固に屋根材１１同士で固定されてもよい。フック機構やロック機構によって、上下方向に係合させることにより、強固に屋根材１１を固定することができる。
【００２３】
屋根材１１は、本形態の形状に限定されるものではなく、瓦尻１２を瓦桟２０に係止して葺設することができ、瓦頭１３を隣接する屋根材１１の瓦尻１２に重ねることができる構造を備えていれば、適宜の形状であってよい。例えば、瓦桟係合脚１５ｂを備えなくともよい。また、側部が固定される構造を備えなくともよい。また、屋根における屋根材１１の配置は、図７（ｂ）のように屋根材１１の側端部を軒棟方向で揃えるような配置であってもよく、あるいは、軒棟方向に隣り合う屋根材１１の側端部をずらす千鳥状の配置であってもよく、適宜の配置でよい。
【００２４】
このように複数の屋根材１１が葺設された屋根において、複数の屋根材１１のうちの一部が傷ついたり汚れたり壊れたりして、一部だけを葺き替える場合がある。このとき、本形態では、屋根材葺き替え治具１を用いて屋根の改修を行う。図１は、屋根材葺き替え治具１を用いた屋根の改修方法の一例を示している。図２は、瓦桟２０に沿って屋根材葺き替え治具１を固定した様子を示しており、図２（ａ）は斜視図であり、図２（ｂ）は断面図である。図３は、図１及び図２の形態に用いた屋根材葺き替え治具１を示し、図３（ａ）は側面図であり、図３（ｂ）は平面図であり、図３（ｃ）は斜視図である。
【００２５】
屋根材葺き替え治具１は、屋根材１１の瓦尻１２を当接し滑らせて瓦桟２０の上方に誘導する誘導部２を備えるものである。誘導部２は、上端が瓦桟２０の上面と略同じ高さの位置で固定され、瓦桟２０の高さと略同じ高さで下方に傾斜する傾斜面２ａを有している。これにより、複数の屋根材１１の一部を葺き替える際に、新設の屋根材１１ａを屋根材葺き替え治具１上を滑らせて瓦頭１３と瓦桟２０の上面との間に容易に挿入することができ、屋根材１１を簡単に差し替えることができる。また、挿入の際に、新設の屋根材１１ａが瓦桟２０に引っかかって瓦桟２０を乗り越えづらくなることを抑制することができ、差し替えの施工時間を短縮することができる。また、新設の屋根材１１ａを挿入する際に無理な力を用いることを抑制したりして、屋根材１１を破損させるおそれを大幅に減少させると共に、挿入する際に屋根材１１が傷ついて美観を損なうことを抑制することができる。また、施工を簡単にすることができることで、屋根の改修の施工を均一化し安定化することができる。
【００２６】
本形態では、屋根材葺き替え治具１は、誘導部２を構成する誘導片５と、誘導片５の上端から瓦桟２０の上面と略平行に瓦桟２０に向かう方向に延設された重ね片３と、誘導片５の下端から屋根下地１４に沿うよう延設された固定片４とを備えている。重ね片３は、屋根材葺き替え治具１が取り付けられる際には、瓦桟２０の上面に重ねられるものである。固定片４は、屋根材葺き替え治具１が取り付けられる際には、屋根下地１４に固定されるものである。屋根材葺き替え治具１が、誘導片５と、重ね片３と、固定片４とを備えることにより、屋根材葺き替え治具１を瓦桟２０と屋根下地１４とに沿って簡単に固定することができ、屋根の改修の施工時間を短くして、改修を効率よく行うことができる。
【００２７】
ここで、誘導片５や重ね片３や固定片４は、板状となった片で構成されており、平面形状が矩形又は台形の板で構成されていてよい。これにより、簡単に誘導片５、重ね片３、固定片４等の各片を設けることができる。各片は、屋根材葺き替え治具１を簡単に効率よく製造するため、平面形状が矩形の板で構成することが好ましい。このとき、誘導片５、重ね片３、固定片４等の各片は幅（瓦桟２０に沿った方向の長さ）が同じ矩形で構成されると、屋根材葺き替え治具１を製造する際に材料の無駄を省いてより効率よく製造することができ、好ましい。また、各片の厚みは、不用意に変形しにくい範囲で薄い方が好ましい。これにより、新設の屋根材１１ａを挿入する際に屋根材葺き替え治具１が出っ張って挿入しにくくなることを抑制することができ、効率よく改修を行うことができる。また、各片の厚みは、同じであることが好ましい。これにより、簡単に屋根材葺き替え治具１を得ることができる。
【００２８】
本形態の屋根材葺き替え治具１は、金属板で構成されていてもよく、アルミで構成されていてもよく、樹脂で構成されていてもよい。この中で、金属板で構成されていることが好ましい。これにより、折り曲げ加工で簡単に誘導片５に重ね片３と固定片４とを設けることができ、屋根材葺き替え治具１を容易に得ることができる。また、金属板で屋根材葺き替え治具１を設けることにより、強度が高く不用意に変形しづらい屋根材葺き替え治具１を簡単に得ることができる。また、屋根材葺き替え治具１の表面を簡単に滑らかにして、新設の屋根材１１ａを屋根材葺き替え治具１上を抵抗少なく移動させることができる。
【００２９】
誘導部２は、新設の屋根材１１ａを誘導部２の表面を滑らせて瓦桟２０の上面に導く傾斜面２ａを有している。本形態では、誘導部２は誘導片５で構成されており、傾斜面２ａは誘導片５の表面で形成されている。傾斜面２ａは、矩形や台形の面であってよい。この中で、傾斜面２ａは長方形の面であることが好ましい。これにより、簡単に誘導部２を得ることができる。傾斜面２ａは、瓦桟２０に沿って固定したときに、瓦桟２０に沿う辺が長い長方形の面であることが好ましい。これにより、新設の屋根材１１ａを誘導部２上を簡単に安定に通過させて挿入することができ、屋根材１１を簡単に差し替えて屋根の改修の施工を均一化することすることができる。
【００３０】
誘導部２に設けられた傾斜面２ａは、瓦桟２０の高さと略同じ高さで瓦桟２０の上端の位置から下方に傾斜する面である。傾斜面２ａは、誘導片５の面で構成されていてよく、このとき誘導片５は瓦桟２０の高さと略同じ高さで下方に傾斜する面を有するように形成されている。この傾斜面２ａは、屋根下地１４に対して上方に傾斜する面であってよい。ここで、高さとは、屋根下地１４表面からの垂直方向の距離である。したがって、瓦桟２０の高さとは、屋根下地１４からの瓦桟２０の上面までの高さであってよい。瓦桟２０の高さと略同じ高さとは、瓦桟２０の高さと同じであってもよいし、僅かに低くてもよいし、僅かに高くてもよい。誘導部２の高さは、誘導部２が固定された際に、誘導部２の上端が瓦桟２０の上面と略同じ高さに位置する高さであることが好ましい。これにより、誘導部２で屋根下地１４から瓦桟２０の上面まで連続する斜面を簡単に形成することができ、新設の屋根材１１ａを瓦桟２０の上面に容易に導くことができるため、改修の施工を簡単にして、屋根の改修の施工を均一化し安定化することができる。
【００３１】
図２で示すように、誘導部２の上端は、瓦桟２０の上面と略同じ高さの位置で固定される。本形態では、誘導部２が誘導片５で構成されており、誘導片５の上端が、瓦桟２０の上面と略同じ高さの位置で固定される。ここで、高さの位置とは、屋根下地１４表面からの垂直な方向の距離で示される位置を意味する。また、瓦桟２０の上面と略同じ高さの位置とは、瓦桟２０の上面と同じ高さの位置であってもよいし、僅かに低い位置であってもよいし、僅かに高い位置であってもよい。本形態では、屋根材葺き替え治具１は、重ね片３が瓦桟２０の上面に重ねられて取り付けられるため、誘導片５（誘導部２）の上端は、瓦桟２０の上面よりもやや高い位置になる。誘導部２の上端は、屋根材葺き替え治具１を瓦桟２０に沿って固定したときに、新設の屋根材１１ａを誘導部２上を滑らせて瓦桟２０の上面に導くことができる高さの位置にあることが好ましい。これにより、新設の屋根材１１ａを挿入する際に、瓦尻１２の側面を瓦桟２０に引っかけてしまうことを抑制することができ、新設の屋根材１１ａを瓦頭１３と瓦桟２０との間に簡単に挿入して差し入れることができる。そのため、差し替えの施工時間を短縮することができるとともに、改修の施工を均一化して安定化することができる。また、誘導部２の上端が瓦桟２０の上面と略同じ高さの位置になると、新設の屋根材１１ａの下面が誘導部２の上端に乗り上げて瓦桟係止部１５が瓦桟２０から外れてしまうことを抑制することができ、屋根材１１を安定に屋根に固定することができる。このように、誘導部２の上端が瓦桟２０の上面と略同じ高さの位置で固定されることで、簡単に新設の屋根材１１ａを差し替えることができ、差し替えの施工時間を短縮することができるとともに、耐風性や耐震性の高い屋根に改修することができる。なお、瓦桟２０の上面が屋根下地１４と平行に設けられていない場合、例えば、瓦桟２０の上面が傾斜面である場合には、誘導部２の上端の高さの位置は、瓦桟２０の軒側端部の高さと略同じ高さの位置であってよい。
【００３２】
誘導部２の傾斜面２ａと屋根下地１４とで形成されるスロープ角度θは、１０〜４５°の範囲にあることが好ましい。スロープ角度θがこの範囲にあることにより、新設の屋根材１１ａを誘導部２の傾斜面２ａ上を容易に昇らせて簡単に挿入することができ、屋根材１１の美観を損ねることを抑制することができ、屋根の改修の施工を均一化し安定化することができる。また、差し替えた新設の屋根材１１ａの瓦桟係合脚１５ｂと誘導部２の傾斜面２ａとが接触して新設の屋根材１１ａが上方に押圧されることを抑制して、屋根材１１ａを強く固定することができ、改修後の屋根の耐風性や耐震性を高めることができる。また、傾斜面２ａの傾斜は緩い方が新設の屋根材１１ａを挿入しやすい。そのため、スロープ角度θは、３０°以下であってもよい。
【００３３】
誘導部２の傾斜面２ａの軒棟方向の長さは、瓦桟２０の高さの１．２〜１０倍であることが好ましく、１．４〜６倍であることがより好ましい。これにより、新設の屋根材１１ａを滑らかに誘導片５上を滑らせて上らせることができ、施工を簡単にして施工時間を短縮することができる。傾斜面２ａの長さとは、傾斜面２ａ上で傾斜面２ａの上端から下端を結ぶ最短の直線距離である。
【００３４】
誘導部２の傾斜面２ａは、本形態のように一つの面で構成されていてもよいし、複数の面が連続して形成されていてもよい。例えば、傾斜面２ａが２つの斜面で構成されていてもよい。また、傾斜面２ａが複数の面で構成されるとき、傾斜面２ａの上端と下端とを結んでできる平面と屋根下地１４とで形成される角度が、スロープ角度θであってよい。
【００３５】
また、傾斜面２ａは、曲面で構成されていてもよいが、本形態のように平面で構成されることが好ましい。傾斜面２ａが平面で構成されることにより、簡単に新設の屋根材１１ａを瓦桟２０の上方に導くことができ、屋根材１１を容易に差し替えることができる。また、傾斜面２ａが平面の場合、簡単に屋根材葺き替え治具１を得ることができる。また、傾斜面２ａが複数の面で構成される場合は、複数の平面で構成されてもよいし、複数の曲面で構成されてもよいし、平面と曲面との組み合わせで構成されてもよい。
【００３６】
誘導部２の瓦桟２０と沿う辺の長さである誘導幅Ｗは、使用する屋根材１１に応じて適宜設定することができるが、３０ｍｍ以上であることが好ましく、屋根材１１の軒と平行な方向の長さ以下であることが好ましい。これにより、屋根材葺き替え治具１を既設の屋根材１１ｂを撤去した部分に簡単に設置することができるとともに、新設の屋根材１１ａを簡単に誘導部２にのせて動かすことができ、施工時間を短縮するとともに、施工を均一化して安定化することができる。また、屋根材１１を１枚除去した場所に屋根材葺き替え治具１を複数個設置する場合は、誘導幅Ｗは屋根材葺き替え治具１を瓦桟２０に沿って重ねずに配置できる長さ以下であることが好ましい。例えば、１枚の屋根材１１ｂを除去した場所に、屋根材葺き替え治具１を２個設置する場合は、誘導幅Ｗは、屋根材１１の軒と平行な方向の長さの１／２以下であることが好ましく、屋根材葺き替え治具１を３個使用する場合は、屋根材１１の軒と平行な方向の長さの１／３以下であることが好ましい。また、誘導幅Ｗは、この範囲内であれば、大きい方が改修の施工性があがって好ましい。例えば、誘導幅Ｗは、屋根材１１の軒と平行な方向の長さの１／２０以上であってよく、あるいは、１／５以上であってよい。また、上記に述べたように、屋根材葺き替え治具１の製造効率の観点から、誘導片５と重ね片３と固定片４等の各片は同じ幅であることが好ましく、つまり、各片の幅は誘導幅Ｗと同じ幅であることが好ましい。
【００３７】
重ね片３は、誘導片５から延設され瓦桟２０の上面に重ねられる片である。重ね片３は、瓦桟２０に固定されていてもよいし、固定されていなくてもよい。重ね片３を瓦桟２０に固定する際は、重ね片３の下面を接着剤や両面テープ等で瓦桟２０の上面に接着して固定するようにしてもよい。本形態では、屋根材葺き替え治具１は固定片４で屋根下地１４に固定されるため、重ね片３が固定されていなくても、新設の屋根材１１ａを屋根下地１４付近からスムーズに瓦桟２０の上面に導くことができる。また、重ね片３を固定しない場合、誘導部２は下端のみで固定されるので、誘導部２をばね状に上下に弾性変形させることができ、瓦桟２０の高さが異なる場合であっても、固定片４を屋根下地１４に簡単に取り付けることができる。
【００３８】
重ね片３の延設方向の長さ（軒棟方向の長さ）は、瓦桟２０の上面の軒棟方向の長さと略同じ長さであることが好ましい。これにより、重ね片３を瓦桟２０の上面に重ねやすくすることができ、瓦桟２０に沿って簡単に屋根材葺き替え治具１を固定することができて、改修の作業効率を向上させることができる。具体的には、瓦桟２０の軒棟方向の長さと同じかそれよりも、０〜１０ｍｍ長い範囲であることが好ましい。
【００３９】
重ね片３は、屋根材葺き替え治具１が取り付けられた際には、瓦桟２０の上面に接していてもよいし、接していなくてもよく、瓦桟２０の上方の空間に浮いて設置されていてもよい。但し、瓦桟係止部１５と瓦桟２０との係合強度を高めるためには、重ね片３と瓦桟２０とが接している方が好ましい。
【００４０】
重ね片３には、本形態のように、瓦桟係止片７を設けることが好ましい。瓦桟係止片７は、重ね片３の誘導片５が設けられた側と反対側の端部から、瓦桟２０の棟側側面に沿って下方に延設されて、形成されている。瓦桟係止片７は、屋根材葺き替え治具１が取り付けられる際には、瓦桟２０の側面を係止することができるものである。屋根材葺き替え治具１に瓦桟係止片７を設けることで、瓦桟係止片７が瓦桟２０の棟側の側面を係止して、屋根材葺き替え治具１を簡単に固定することができる。瓦桟係止片７の延設方向の長さ（上下方向の長さ）は、瓦桟係止片７を瓦桟２０にひっかけることのできる長さであれば適宜設定してよいが、３〜１０ｍｍの範囲が好ましい。これにより、瓦桟係止片７を隣接する屋根材１１の瓦頭１３と瓦桟２０との間に簡単に挿入して瓦桟２０を係止することができ、屋根材葺き替え治具１を簡単に固定して、屋根の改修効率を向上することができる。瓦桟係止片７の瓦桟２０と沿う面には、接着剤や両面テープなどで瓦桟係止片７を瓦桟２０に接着してもよい。また、瓦桟係止片７の幅も誘導幅Ｗと同じ幅であることが、屋根材葺き替え治具１を効率よく製造する観点から好ましい。
【００４１】
固定片４は、屋根材葺き替え治具１を屋根下地１４に固定するための片である。本形態では、固定片４は、誘導片２の下端から屋根下地１４に沿って重ね片３を延設した方向と反対方向（軒に向かう方向）に向かって延設されて形成されている。このように、固定片４は、重ね片３が延設された方向と反対方向に向かって延設されることが好ましい。これにより、固定片４を屋根下地１４に簡単に固定することができ、屋根材葺き替え治具１を屋根下地１４に容易に固定して、改修を効率よく行うことができる。
【００４２】
固定片４には、固定用孔６が設けられていることが好ましい。これにより、固定用孔６に釘やビス等の固定具３０を打ち付けて屋根材葺き替え治具１を簡単に強く屋根下地１４に固定することができる。固定片４に予め固定用孔６が設けられていない場合でも、固定具３０を取り付けるのと同時に固定具３０で固定用孔６を設けて固定片４を固定してもよい。また、固定片４の下面に接着剤や両面テープなどの接着材料を設けて、固定片４を固定してもよい。もちろん、固定片４に接着剤を設けて屋根下地１４に固定すると共に、さらに固定具３０で固定片４を固定してもよい。本形態では、固定片４に固定用孔６が一つ設けられているが、固定用孔６は一つの固定片４に複数設けられていてもよい。
【００４３】
固定片４の延設方向の長さ（軒棟方向の長さ）は、屋根材葺き替え治具１を固定できる長さに適宜設定してよい。本形態では、固定具３０で固定することのできる適宜の長さであってよく、例えば、重ね片３の延設方向の長さの１／４〜５倍程度にすることができる。これにより、固定片４が屋根下地１４上の大きい範囲で突出することを抑制すると共に、固定片４を屋根下地１４に強く固定することができ、屋根材１１を簡単に差し替えることができる。また、固定片４の長さは、重ね片３の延設方向の長さの１倍以下であってもよい。それにより、固定片４が屋根下地１４上で広い範囲で突出することをより抑制して、屋根材１１を差し替えやすくし、改修の効率を向上させることができる。
【００４４】
ここで、屋根材葺き替え治具１の一例として図１〜３に示される形態を説明したが、誘導部２が誘導片５で構成される屋根材葺き替え治具１の形態は、これに限定されるものではない。屋根材葺き替え治具１は、誘導片５の上端が瓦桟２０の上面と略同じ高さの位置で固定され、誘導片５が瓦桟２０の高さと略同じ高さで下方に傾斜する傾斜面２ａを有する適宜の構造であってよい。
【００４５】
例えば、屋根材葺き替え治具１に瓦桟係止片７が設けられなくともよい。これにより、重ね片３を瓦桟２０の上面に重ねて設置する際に、重ね片３を瓦桟２０と瓦頭１３との間に挿入しやすくすることができ、屋根材葺き替え治具１を簡単に設置することができる。この形態では、重ね片３の延設方向の長さは、瓦桟２０の軒棟方向の長さより短くてもよい。これにより、屋根材葺き替え治具１を様々な幅（太さ）の瓦桟２０に用いることができるとともに、重ね片３を瓦桟２０により簡単に重ねて沿わせることができ、改修の作業効率を高めることができる。
【００４６】
また、屋根材葺き替え治具１には固定片４が設けられなくともよい。このとき、屋根材葺き替え治具１は、重ね片３で、あるいは、重ね片３と瓦桟係止片７とで瓦桟２０に固定するようにしてもよい。また、固定片４が誘導片２の下端から屋根下地１４に沿って重ね片３と同じ方向に向かって延設されていてもよい。この場合、固定片４が屋根下地１４上で突出することを抑制することができ、新設の屋根材１１ａを挿入する際に固定片４にひっかかることを抑制し、屋根材１１ａを簡単に挿入することができる。固定片４が重ね片３と同じ方向に向かって延設されている場合には、固定片４の延設方向の長さは、固定片４が誘導片５の上端が沿う瓦桟２０の側面に接触しない範囲の長さであることが好ましい。これにより、簡単に強く屋根材葺き替え治具１を屋根下地１４に固定することができ、改修の施工時間を短縮することができる。
【００４７】
次に、屋根材葺き替え治具１を用い、複数の屋根材１１の一部を葺き替える屋根の改修方法について説明する。
【００４８】
図９は、複数の屋根材１１の一部を葺き替える方法の一例を示す斜視図である。図９では、図７（ａ）で示した形態の屋根材１１が用いられて、図７（ｂ）及び図８の葺設構造で示したように、既設の屋根材１１ｂが隣接する屋根材１１ｂや瓦桟２０と係合して、側端部及び瓦尻１２において固定されている。図９（ａ）は改修前を示しており、図９（ｂ）は新設の屋根材１１ａの挿入工程を示している。
【００４９】
図１（ａ）は、新設の屋根材１１ａの挿入工程の断面図であり、図１（ｂ）は、挿入して改修した後の一例を示す断面図である。
【００５０】
複数の屋根材１１の一部を葺き替えるにあたっては、既設の屋根材１１ｂを除去した後、屋根材葺き替え治具１を瓦桟２０に沿って固定し、新設の屋根材１１ａを屋根材葺き替え治具１上を滑らせて、棟側に隣接する既設の屋根材１１ｂの瓦頭１３と瓦桟２０との間に挿入することが好ましい。これにより、新設の屋根材１１ａを屋根材葺き替え治具１上を滑らせて瓦頭１３と瓦桟２０との間に挿入し、簡単に差し替えることができる。そのため、差し替えの施工時間を短縮することができ、屋根材１１を破損させるおそれを大幅に減少させると共に、挿入する際に屋根材１１が傷ついて美観を損なうことを抑制することができ、屋根の改修の施工を均一化し安定化することができる。
【００５１】
屋根材１１が複数葺設された屋根を改修するにあたっては、まず、葺き替える場所の既設の屋根材１１ｂを除去する。例えば、図９（ａ）では、矢印で示した既設の屋根材１１ｂを除去するものとする。既設の屋根材１１ｂの除去は、適宜の方法を用いてよいが、割って除去することが容易で好ましい。次に、図１（ａ）及び図２に示すように、既設の屋根材１１ｂを除去した部分の屋根下地１４に、屋根材葺き替え治具１を瓦桟２０に沿って固定する。
【００５２】
屋根材葺き替え治具１の固定は、屋根材葺き替え治具１を棟側に隣接する既設の屋根材１１ｂの瓦頭１３と瓦桟２０との間に挿入することにより、行うことができる。このとき、例えば、瓦頭１３と瓦桟２０の上面との間の空間に重ね片３と瓦桟係止片７とを挿入し、瓦桟係止片７で瓦桟２０を係止し、重ね片３を瓦桟２０の上面に重ねて、屋根材葺き替え治具１を瓦桟２０に沿わせる。また、屋根材葺き替え治具１の挿入が容易になるよう既設の屋根材１１ｂの瓦頭１３を上方に持ち上げるようにしてもよい。なお、屋根材葺き替え治具１に瓦桟係止片７が設けられていない場合には、重ね片３を瓦桟２０の上面に重ねるだけでもよい。
【００５３】
そして、固定片４を屋根下地１４に固定することで、屋根材葺き替え治具１を瓦桟２０に沿って固定することができる。固定片４を屋根下地１４に固定する方法は、固定片４の固定用孔６に釘やビス等の固定具３０を打ち付けて固定する方法が好ましい。これにより、屋根材葺き替え治具１を簡単に強く屋根下地１４に固定することができ、屋根材葺き替え治具１がずれにくくなって、屋根材１１の差し替えを容易にし、施工を効率化することができる。また、屋根材葺き替え治具１を固定する方法は、固定具３０を用いる代わりに、あるいは、固定具３０に加えて、重ね片３や瓦桟係止片７に接着剤を設けて瓦桟２０に固定する方法でもよく、固定片４に接着剤を設けて屋根下地１４に固定する方法でもよい。
【００５４】
屋根材葺き替え治具１は、屋根材１１を１枚除去した場所に屋根材１１の形状に合わせて１個又は複数個設置することができる。例えば、図７（ｂ）で示すように、屋根材１１の瓦尻１２に瓦桟２０の長手方向に沿って２箇所に瓦桟係止部１５が設けられているような場合は、新設の屋根材１１ａの挿入を容易にするため、屋根材葺き替え治具１を瓦桟係止部１５の位置に合わせて２個設置することが好ましい。このときの誘導幅Ｗは、屋根材葺き替え治具１を瓦桟２０に沿って重ねずに配置できるよう、屋根材１１における瓦桟２０の長手方向の長さの１／２以下に設定されることが好ましい。
【００５５】
屋根材葺き替え治具１を瓦桟２０に沿って固定した後は、図９（ｂ）に示すように、既設の屋根材１１ｂが除去された部分において、新設の屋根材１１ａを瓦尻１２の方から近づけて、軒側の既設の屋根材１１ｂの瓦頭１３と瓦桟２０の上面との間に挿入する。新設の屋根材１１ａは、既設の屋根材１１ｂと同形状のものである。新設の屋根材１１ａの挿入にあたっては、図１（ａ）に示すように、新設の屋根材１１ａの瓦尻１２の先端下部を誘導部２上に載置する。このとき、瓦桟係止脚１５ａの先端と誘導部２とが当接する。そして、図１（ａ）の矢印で示すように、新設の屋根材１１ａの瓦尻１２を誘導部２上で棟側に滑らせることで瓦桟２０の上方に導いて、瓦頭１３と瓦桟２０の上面との間に差し込む。このとき、新設の屋根材１１ａの挿入を容易にするため、図１（ａ）の白矢印のように、棟側の既設の屋根材１１ｂの瓦頭１３を持ち上げることが好ましい。屋根材葺き替え治具１を用いる場合、新設の屋根材１１ａを誘導部２上を滑らせて移動させることで、新設の屋根材１１ａの瓦尻１２を挿入する高さの位置に簡単に導くことができるので、瓦頭１３を持ち上げる量を少なくすることができる。
【００５６】
このように、屋根材葺き替え治具１を用いることにより、新設の屋根材１１ａを誘導部２上を滑らせて簡単に瓦桟２０と瓦頭１３との間に差し込むことができるため、改修の施工時間を短縮することができる。また、新設の屋根材１１ａを簡単に差し込むことができるので、施工者に特別なスキルや経験を求めなくともよく、施工を均一化し安定化することができる。また、挿入の際に、既設の屋根材１１ｂの瓦頭１３を無理な力で大きく持ち上げたり、新設の屋根材１１ａを無理に差し込んだりすることを抑制することができるので、屋根材１１の美観を損ねることを抑制することができる。また、新設の屋根材１１ａを簡単に挿入することができるので、新設の屋根材１１ａを挿入しやすくするために施す屋根材１１の切削加工の回数や程度を小さくすることができたり、あるいは加工をなくしたりすることができる。また、本形態のように、既設の屋根材１１ｂが瓦尻１２や側端部で固定されて瓦頭１３が持ち上がりにくくなっている場合でも、誘導部２で屋根材葺き替え治具１を挿入方向に誘導することができるので、屋根材１１を簡単に差し替えることができる。また、本形態では、重ね片３が瓦桟２０の上面を覆うように配置されているので、新設の屋根材１１ａを瓦桟２０をスムーズに乗り越えさせて差し込むことができる。
【００５７】
本形態では、屋根材１１の側端部に重合上部２１と重合下部２２とが設けられている。そのため、新設の屋根材１１ａを差し込む際に、新設の屋根材１１ａの重合下部２２を瓦桟２０の長手方向と平行な方向に隣り合う一方の既設の屋根材１１ｂの重合上部２１の下に沿わせることが好ましい。また、これと同時に、新設の屋根材１１ａの重合上部２１を瓦桟２０の長手方向と平行な方向に隣り合う他方の既設の屋根材１１ｂの重合下部２２の上に沿わせることが好ましい。これにより、新設の屋根材１１ａを誘導部２上を滑らせて差し込む際に、側端部を重ね合わせることができる。このように、屋根材葺き替え治具１を用いることにより、屋根材１１が隣接する屋根材１１と側端部同士で係合する構造を有していても、屋根材１１は屋根材葺き替え治具１上を滑って挿入されるので、側端部をスムーズに係合させることができる。したがって、屋根材葺き替え治具１を用いることにより、１枚の屋根材１１が複数の箇所で固定されて屋根下地１４に葺設され、耐風性や耐震性が高められた屋根の屋根材１１を簡単に差し替えることができる。
【００５８】
そして、このように挿入された新設の屋根材１１ａの瓦桟係止部１５を瓦桟２０にひっかけて係止させる。このとき、新設の屋根材１１ａと瓦桟２０との間には、屋根材葺き替え治具１が設置されているため、瓦桟係止部１５は屋根材葺き替え治具１を介して瓦桟２０に係合するようにしてもよい。新設の屋根材１１ａが設置されたとき、瓦桟係合脚１５ｂと誘導部２とは接していてもよいし、接していなくてもよい。瓦桟係止部１５と瓦桟２０との係合を高めるためには、瓦桟係合脚１５ｂと誘導部２とは接していないほうが好ましい。これにより、図１（ｂ）に示すように、複数の屋根材１１のうちの一部を葺き替えて改修した屋根を形成することができる。
【００５９】
図５は、屋根材葺き替え治具１の他の形態の一例を示しており、図５（ａ）は側面図であり、図５（ｂ）は平面図であり、図５（ｃ）は瓦桟２０に設置した際の断面図であり、図５（ｄ）は瓦桟２０に設置した際の斜視図である。図４は、図５に示す屋根材葺き替え治具１を用い、複数の屋根材１１の一部を葺き替える屋根の改修方法の一例を示している。図１〜図３の形態と同じ構成については、同じ符号を付して説明を省略するものとする。
【００６０】
図５に示すように、屋根材葺き替え治具１は、誘導部２を備えるとともに、合せ部８と、設置部９とを備えることが好ましい一形態である。合せ部８は、瓦桟２０の側面に沿う面を有して、屋根材葺き替え治具１を瓦桟２０に沿って設置するためのものである。設置部９は、屋根下地１４に沿う面を有して、屋根材葺き替え治具１を屋根下地１４に沿って設置するためのものである。屋根材葺き替え治具１が誘導部２と合せ部８と設置部９とを備えることにより、屋根材葺き替え治具１を瓦桟２０に沿って屋根下地１４に簡単に固定することができ、屋根の改修効率を高めることができる。
【００６１】
合せ部８は、瓦桟２０の軒側側面に沿う面を備えている。合せ部８の上下方向の長さは、瓦桟２０の高さと略同じ長さであることが好ましい。このとき、合せ部８の上下方向の長さと、誘導部２の高さとは略同じ長さになっている。合せ部８の上下方向の長さがこの範囲にあることにより、誘導部２の上端の高さの位置と瓦桟２０の上面の高さの位置を略同じに揃えて固定しやすくして、誘導部２の傾斜面２ａが屋根下地１４から瓦桟２０の上面に続くように簡単に固定することができる。そのため、新設の屋根材１１ａを屋根下地１４付近から誘導部２の傾斜面２ａ上を滑らせて容易に瓦桟２０の上方に導き挿入することができ、改修の施工時間を短縮することができるとともに、改修の施工を安定化して均一化することができる。合せ部８の上下方向の長さは、具体的には、瓦桟２０の高さと同じ長さかそれよりも、０〜２ｍｍ長い範囲であることが好ましい。これにより、新設の屋根材１１ａの瓦尻１２側の側面を瓦桟２０にひっかけてしまうことを抑制して、屋根材１１を簡単に差し替えることができる。また、この場合も、合せ部８の上下方向の長さと誘導部２の高さとは略同じ長さである。
【００６２】
合せ部８の瓦桟２０と沿う面を接着剤や両面テープ等で瓦桟２０に接着して、合せ部８を瓦桟２０に固定できるようにしてもよい。これにより、誘導部２の上端を瓦桟２０に沿わせて固定しやすくすることができるとともに、屋根材葺き替え治具１の固定を簡単にして、屋根材１１の差し替えを簡単にして、改修の効率を向上することができる。
【００６３】
設置部９は、屋根下地１４に沿う下面を備えている。設置部９の屋根下地１４に沿う下面を接着剤や両面テープ等で屋根下地１４に接着し、設置部９を屋根下地１４に固定することも好ましい一形態である。これにより、屋根材葺き替え治具１を大きい範囲で強く屋根下地１４に安定に固定することができる。
【００６４】
図５に示す形態では、誘導部２は誘導片５で構成され、合せ部８は板状の合せ片８ａで構成され、設置部９は、板状の設置片９ａで構成されている。また、この形態の屋根材葺き替え治具１は、誘導片５の下端から屋根下地１４に沿って延設された固定片４を備えており、固定片４は、設置片９ａを介して屋根下地１４に固定されている。
【００６５】
合せ片８ａは合せ部８の瓦桟２０の軒側側面に沿う面を表面に備えている。合せ片８ａは、誘導片５の上端から屈曲し、瓦桟２０の軒側側面に沿うように下方に向かって延設されている。そして、合せ片８ａの下端は屋根下地１４に位置するように形成されている。設置片９ａは、設置部９の屋根下地１４に沿う面を表面に備えている。設置片９ａは、固定片４が設けられている方向に屋根下地１４に沿うように延設され、形成されている。誘導部２を誘導片５で構成すると共に、合せ部８を合せ片８ａで構成し、設置部９を設置片９ａで構成することによって、簡単に屋根材葺き替え治具１を得ることができる。
【００６６】
本形態の屋根材葺き替え治具１は、金属板で構成されていてもよく、アルミで構成されていてもよく、樹脂で構成されていてもよい。この中で、金属板で構成されていることが好ましい。これにより、強度が高く表面が滑らかな屋根材葺き替え治具１を折り曲げ加工で簡単に得ることができる。
【００６７】
合せ片８ａ及び設置片９ａは、平面形状が矩形や台形の板で構成されていることが好ましく、誘導片５や固定片４と同様に、平面形状が矩形の板で構成されることが好ましい。これにより、屋根材葺き替え治具１を簡単に効率よく製造することができる。合せ片８ａ及び設置片９ａは、誘導片５の誘導幅Ｗと同じ幅で形成されて、合せ片８ａ及び設置片９ａと誘導片５等の各片とが、幅の同じ矩形で構成されることが好ましい。これにより、屋根材葺き替え治具１を製造する際に材料の無駄を省いて効率よく製造することができる。合せ片８ａ及び設置片９ａは、誘導片５や固定片４の各片と同じ厚みで形成されていることが好ましい。これにより、一枚の矩形の板の折り曲げ加工で簡単に本形態の屋根材葺き替え治具１を得ることができる。
【００６８】
合せ片８ａの延設方向の長さ（上下方向の長さ）は、瓦桟２０の高さと略同じ長さであることが好ましい。これにより、誘導片５の上端の高さの位置を瓦桟２０と略同じ高さで簡単に固定することができ、屋根の改修効率を向上することができる。合せ片８ａの延設方向の長さは、例えば、瓦桟２０の高さと同じか、それよりも０〜２ｍｍの範囲で長いことが好ましい。これにより、屋根材１１の差し替えを容易にして、改修の施工を安定化したり均一化したりすることができる。
【００６９】
設置片９ａの延設方向の長さ（軒棟方向の長さ）は、適宜設定してよい。例えば、設置片９ａと固定片４とが重なるような長さであることが好ましく、本形態のように、固定片４の誘導片５が設けられた側と反対側の端部と略一致するよう延設された長さであることがより好ましい。設置片９ａがこのように設けられることによって、屋根材葺き替え治具１を安定に設置することができ、改修の効率を向上することができる。
【００７０】
設置片９ａには固定片４と同じ位置で貫通する固定用孔６が設けられていてもよい。これにより、固定片４と設置片９ａとが重なった部分で固定片４に固定具３０を打ち付けて、固定片４を屋根下地１４に固定することができる。固定片４と設置片９ａとに同じ位置で貫通する固定用孔６は、固定片４及び設置片９ａに複数形成されていてもよい。また、設置片９ａと固定片４とを重ねて固定しやすいように、設置片９ａと固定片４とは固定される構造を有していてもよく、例えば、両片がプレスや溶接や折り曲げ加工で固定されていたり、あるいは、接着剤や両面テープ等で固定されていたりしてもよい。
【００７１】
また、図５の形態では、誘導片５の下端は設置片９ａ上に位置する。このとき、傾斜面２ａの高さは、誘導片５の上端と瓦桟２０の上面との高さの位置を略同じ高さの位置になりやすくするよう、瓦桟２０の高さより設置片９ａの厚み程度少し短くてよい。また、このときの傾斜面２ａのスロープ角度θは、誘導片５の傾斜面２ａと設置片９ａの上面とのなす角度であってよい。
【００７２】
ここで、屋根材葺き替え治具１の形態の一例として、図５に示される形態について説明したが、誘導片２の傾斜面２ａの上端を瓦桟２０の上面と略同じ高さの位置に固定することができれば、屋根材葺き替え治具１の形態はこれに限られるものではない。例えば、屋根材葺き替え治具１は、設置片９ａを備えていなくてもよい。但し、本形態のように設置部片９ａを備えているほうが、屋根材葺き替え治具１を簡単に強く固定することができると共に、合せ片８ａが下端で屋根下地１４にくい込んだりすることを抑制することができて好ましい。また、設置片９ａは、固定片４が設けられた部分まで延設されていなくともよい。このとき、固定片４を固定具３０や接着剤等で直接屋根下地１４に固定するようにしてよい。また、設置片９ａが固定片４が延設された領域を超えてさらに延設されていてもよい。その場合、設置片９ａの延設方向の長さは、瓦桟２０同士の間隔以下の長さであることが、屋根材葺き替え治具１の設置を簡単にする観点で好ましい。また、固定片４を備えていなくともよく、設置片９ａや合せ片８ａで屋根材葺き替え治具１を固定するようにしてもよい。また、合せ部８を合せ片８ａで構成しなくともよく、設置部９を設置片９ａで構成しなくともよい。要するに、屋根材葺き替え治具１は、屋根材葺き替え治具１が取り付けられたときに、誘導部２の傾斜面２ａが、瓦桟２０の上面から屋根下地１４の表面まで下方に傾斜するように配置されるものであればよいものである。
【００７３】
図４は、図５に示す屋根材葺き替え治具１を用いた屋根の改修方法の一例を示す断面図である。図４（ａ）は、挿入工程を示しており、図４（ｂ）は改修した後を示している。ここでは、図１で説明した方法と共通する工程は省略するものとし、本形態の屋根材葺き替え治具１を屋根下地１４に固定する工程について説明する。この形態の屋根材葺き替え治具１においても、屋根材葺き替え治具１は瓦桟２０に沿って固定され、新設の屋根材１１ａを誘導部２上を滑らせて瓦桟２０の上面に導き容易に差し込むことができる。
【００７４】
屋根材葺き替え治具１を屋根下地１４に固定するには、まず、屋根材葺き替え治具１を瓦桟２０に沿って設置する。このとき、例えば、瓦桟２０の軒側側面に合せ部８を面で合せ、設置部９の下面を屋根下地１４に沿わせて設置する。
【００７５】
そして、固定片４を屋根下地１４に固定することで、設置した屋根材葺き替え治具１を固定する。固定片４を屋根下地１４に固定するには、固定片４と設置片９ａとに貫通して設けられた固定用孔６に固定具３０を打ち込んで、固定片４を設置片９ａを介して屋根下地１４に固定することが好ましい。これにより、屋根材葺き替え治具１を屋根下地１４に簡単に強く固定することができ、屋根材１１の差し替えの際に屋根材葺き替え治具１をずれにくくして、改修を効率化することができる。また、固定片４を固定するには、設置片９ａの下面を接着剤又は両面テープで屋根下地１４に固定するとともに、固定片４と設置片９ａとを固定して、屋根材葺き替え治具１を固定することもできる。この場合、屋根材葺き替え治具１をより大きな範囲で屋根下地１４に固定することができるとともに、屋根材葺き替え治具１の設置の施工と固定の施工をまとめて行うことができ、改修の施工効率を向上させることができる。このように固定片４を屋根下地１４に固定することで、屋根材葺き替え治具１を瓦桟２０に沿って固定することができる。また、本形態においても、屋根材葺き替え治具１は、屋根材１１を１枚除去した場所に屋根材１１の形状に合わせて１個又は複数個設置することができる。本形態では、屋根材葺き替え治具１の一部を瓦桟２０の上方に挿入することなく、屋根材葺き替え治具１を瓦桟２０に沿って簡単に設置することができるので、屋根の改修効率を向上させることができる。
【００７６】
図６は、屋根材葺き替え治具１の他の形態の一例を示しており、図６（ａ）は側面図であり、図６（ｂ）は平面図であり、図６（ｃ）は瓦桟２０に設置した際の断面図であり、図６（ｄ）は瓦桟２０に設置した際の斜視図である。上記の形態と同じ構成については、同じ符号を付して説明を省略するものとする。
【００７７】
図６に示すように、屋根材葺き替え治具１は、誘導部２と、合せ部８と、設置部９とを備えていることが好ましい一形態である。これにより、屋根の改修の施工を効率化することのできる屋根材葺き替え治具１を簡単な成形で製造することができる。
【００７８】
本形態では、屋根材葺き替え治具１は、側面形状が下辺が長い台形状となっており、軒と平行な方向の長さが誘導幅Ｗと同じ幅の部材で構成されている。この屋根材葺き替え治具１は、誘導部２の傾斜面２ａと、合せ部８の瓦桟２０に沿う面と、設置部９の屋根下地１４に沿う面とを表面に有している。また、本形態の屋根材葺き替え治具１は、図１〜３に示した形態又は図４、５に示した形態と異なって、板状の片ではなく、内部に空洞のない塊状の部材で構成されている。
【００７９】
本形態の屋根材葺き替え治具１は、樹脂材で構成されていてもよく、アルミで構成されていてもよいが、木材で構成されていることが好ましい。これにより、屋根材葺き替え治具１を切削加工で容易に得ることができる。また、表面をやすり等で簡単に滑らかにすることができ、屋根材葺き替え治具１の表面を滑らかにして、新設の屋根材１１ａを屋根材葺き替え治具１上を抵抗少なく移動させることができる。また、廃材や市販の規格品等を利用して屋根材葺き替え治具１を形成することができ、屋根材葺き替え治具１を効率よく得ることができる。
【００８０】
本形態では、合せ部８と誘導部２との間に上面部１０が設けられている。上面部１０は誘導部２の上端と合せ部８の上端とをつなぐ面である。上面部１０は設置部９の表面に平行な面であってよい。上面部１０が設けられることにより、新設の屋根材１１ａを屋根材葺き替え治具１上を滑らせた後、瓦桟２０の上面に導きやすくして、差し替えを簡単にすることができる。
【００８１】
ここで、塊状の部材によって形成される屋根材葺き替え治具１の形態は、図６に示された形態に限らず、誘導部２と合せ部８と設置部９とを備える適宜の形態であってよい。例えば、上面部１０を備えなくともよい。このとき、側面形状は三角形となるものであってよい。また、誘導部２の下端から固定片４が屋根下地１４に沿って設けられてもよい。
【００８２】
図６（ｃ）及び（ｄ）に示すように、本形態においても、屋根材葺き替え治具１は瓦桟２０に沿って固定され、新設の屋根材１１ａを誘導部２上を滑らせて瓦桟２０の上面に導き容易に差し込むことができる。新設の屋根材１１ａの差し込みは、図１及び４で説明した方法と同様であってよい。屋根材葺き替え治具１を瓦桟２０に沿って固定するには、合せ部８で瓦桟２０に沿わせるとともに、誘導部２に固定具３０を打ち付けて誘導部２に固定用孔６を形成しながら屋根下地１４に固定することが好ましい。これにより、屋根材葺き替え治具１を屋根下地１４に施工性高く強く固定して、屋根材葺き替え治具１がずれるのを抑制することができ、屋根の改修を効率的に行うことができる。誘導部２に固定具３０を打ち付ける位置は、傾斜面２ａの高さの半分より下であることが、新設の屋根材１１ａを挿入しやすくするためには、好ましい。
【符号の説明】
【００８３】
１      屋根材葺き替え治具
２      誘導部
２ａ    傾斜面
３      重ね片
４      固定片
５      誘導片
６      固定用孔
７      瓦桟係止片
８      合せ部
８ａ    合せ片
９      設置部
９ａ    設置片
１０    上面部
１１    屋根材
１１ａ  新設の屋根材
１１ｂ  既設の屋根材
１２    瓦尻
１３    瓦頭
１４    屋根下地
１５    瓦桟係止部
１５ａ  瓦桟係止脚
１５ｂ  瓦桟係合脚
２０    瓦桟
２１    重合上部
２２    重合下部
２３    係合上部
２４    係合下部
２５    作業者
３０    固定具
θ      スロープ角度
Ｗ      誘導幅
【図１】
2014077316.tif 000003
【図２】
2014077316.tif 000004
【図３】
2014077316.tif 000005
【図４】
2014077316.tif 000006
【図５】
2014077316.tif 000007
【図６】
2014077316.tif 000008
【図７】
2014077316.tif 000009
【図８】
2014077316.tif 000010
【図９】
2014077316.tif 000011
【図１０】
2014077316.tif 000012